(57)【要約】【課題】  露地やハウスなどを移動可能であり、且つ一所に止めて置きたい場合には風などで移動しないようにすることが出来るような、電照栽培用の照光器具などに給電するための電源を提供する。【解決手段】  二次電池と車輪とを有する電源供給車であって、この電源供給車が、この電源供給車を止めて移動しないようにしておきたい場合に地面に入れ込むための杭を有しているものとした。また発電装置と車輪とを有する電源供給車であって、この電源供給車が、この電源供給車を止めて移動しないようにしておきたい場合に地面に入れ込むための杭を有しているものとした。またこうした電源供給車の電気出力端に、栽培植物を照光するための半導体発光素子を用いた照光器具を接続して成る、照光器具を備えた電源供給車とした。【選択図】図１
2012006567.tif 000002
【特許請求の範囲】
【請求項１】
二次電池と該二次電池を移動させるための車輪とを有する電源供給車であって、該電源供給車が該電源供給車を止めて移動しないようにしておきたい場合に地面に入れ込むための杭を有している、電源供給車。
【請求項２】
発電装置と該発電装置を移動させるための車輪とを有する電源供給車であって、該電源供給車が該電源供給車を止めて移動しないようにしておきたい場合に地面に入れ込むための杭を有している、電源供給車。
【請求項３】
前記発電装置が発電した電気を蓄えるための二次電池を有している、請求項２に記載の電源供給車。
【請求項４】
前記電源供給車が、前記車輪としての前輪と、前記電源供給車を前記前輪と共に支える後脚と、走行時に前記前輪を支点として前記後脚を持ち上げ地面から浮かせて押して進むための持ち手と、を有するものである、請求項１から請求項３の何れか一に記載の電源供給車。
【請求項５】
前記前輪が１輪であり、前記後脚が前記前輪と共に３点で前記電源供給車を支える２つの後脚である、請求項４に記載の電源供給車。
【請求項６】
請求項１から請求項５の何れか一に記載の電源供給車の電気出力端に、栽培植物を照光するための半導体発光素子を用いた照光器具を接続して成る、照光器具を備えた電源供給車。
【発明の詳細な説明】
【技術分野】
【０００１】  この発明は、露地やハウスでの、電照栽培用のＬＥＤ（Ｌｉｇｈｔ  Ｅｍｉｔｔｉｎｇ  Ｄｉｏｄｅ）照光器具などに給電するための電源を搭載した、畑の通路や畦道での使い勝手が良好な人力で移動する車に関する。
【背景技術】
【０００２】  当発明者は特願２００９−１９２８９５により、露地栽培やハウス栽培では、日照不足を補うための、設置が容易な、専用の照光器具が必要であるが、このようなものはこれまで存在していなかったこと、従来の植物工場に於けるＬＥＤランプは、露地栽培やハウス栽培のために必要な時には直ぐに容易に使用出来ると言うようなものではなく、適用柔軟性に欠けていたこと、を指摘して新たな照光器具を提案した。【０００３】  上述した発明は、露地栽培やハウス栽培に於ける日照不足を補うべく、複数個の半導体発光素子を、この半導体発光素子に電力を供給するための電線と共に、植物を覆うための農業用ネットに取り付けて照光器具としたものである。露地やハウスで用いる器具としては、農作業の邪魔にならず、取り扱いが煩わしくなく、現状露地やハウスの担い手であるじいちゃんばあちゃんでも簡単に設置したり撤収したりすることが出来るものでなくてはならない。【０００４】  この発明が実に重要であることは日本経済新聞２０１０年１月２５日号の記事“農業も「ソーラー産業」に育てよ”によっても裏付けられる。この記事ではソーラーエネルギー利用への転換の担い手の産業として農業や林業が位置付けられている。
【先行技術文献】
【特許文献】
【０００５】
【特許文献１】特願２００９−１９２８９５号公報
【非特許文献】
【０００６】
【非特許文献１】日本経済新聞２０１０年１月２５日号［５面オピニオン］、“農業も「ソーラー産業」に育てよ”、丸紅経済研究所所長柴田明夫氏
【発明の概要】
【発明が解決しようとする課題】
【０００７】  このように有用な特願２００９−１９２８９５の照光器具の発明ではあるが、この電力を家屋の配電盤から引くのでは電源コードの引き回しなどが大変になると言う問題が出てくる。あるいは畑に大型の太陽光発電パネル（ソーラーパネル）を固定的に設置することは、露地栽培やハウス栽培のような小規模な農業では、担い手にはその意義が見出せないし意欲も湧かないであろう。すなわちこの照光器具の電源はこの照光器具の近くにあってコンパクトなものであることが望ましい。この際に露地を吹く強い風によって動かされてしまうようであってはいけない。またこの電源は設置場所を変える可能性がある。【０００８】  そこでこの発明は、露地やハウスなどを移動可能であり且つ一所に止めて置きたい場合には移動しないようにすることが出来るような電源を提供することを課題とする。
【課題を解決するための手段】
【０００９】  上記の課題は、二次電池と該二次電池を移動させるための車輪とを有する電源供給車であって、該電源供給車が該電源供給車を止めて移動しないようにしておきたい場合に地面に入れ込むための杭を有している、電源供給車とすることによって解決される。この電源供給車は二次電池と車輪とを有しており、このまま押して移動することが出来る。すなわち上述のような照光器具がある場所まで移動して設置したり、撤収したりすることが容易である。【００１０】  またこの電源供給車は杭を備えている。電源供給車の何れかの部位に例えば車輪の軸受けや二次電池に杭を備えていれば、この杭を地面に入れ込むことで、風を受けた時や傾斜のある場所に止めさせた時の電源供給車の移動を抑えることが出来る。また例えば後述するような脚を有するものではこの脚に杭を備えれば、この杭を地面に刺し入れてストッパとすることが出来る。撤収に際しては杭の部分を地面から引き抜けば良い。なおブレーキを車輪に設けても良いが、ブレーキは車輪の回転を抑えても車輪が地面を引き摺られることを抑えることは出来ないから、この点で杭とは役割が異なる。【００１１】  杭をどのようなものにするかやその取り付け方は任意である。例えば杭を取り付けた鎖を車輪の軸受けに固定するが、この鎖の長さは杭を地面に刺した時にぴんと張られる長さとしたもの。また例えば円筒形状のキャップの側面に縦方向のガイド溝を設け、キャップの中に杭を出し入れ可能に納め、杭の側面に設けたピンをガイド溝から外に出して、ピンを上下することでキャップから杭を出し入れ出来るように構成した杭具を、車軸や後述する脚などに取り付けるようにする。また例えば脚を縦パイプで構成し、この脚に力を込めて脚そのものを地面に刺し入れ可能な杭とする設計が可能である。なお脚を杭とする設計では、普通には接地するも二次電池や発電装置の自重で自然に土中に食い込むようなものとすることが出来る。【００１２】  杭を地面に刺し入れることによって電源供給車が不本意に移動しないようにした後は、この電源供給車の電気出力端に、栽培植物を電照するための半導体発光素子を用いるなどした照光器具を接続すれば良い。これに付いては上述した特願２００９−１９２８９５の照光器具を参照されたい。【００１３】  この二次電池に充電するにはこの電源供給車を配電盤や電源コンセントがある場所まで移動させる。ここで充電して、電気を使う場所まで移動してそこで使用する。例えば特開２００７−１８７５１の「組電池」や、特開２００６−３１５７１０の「包装箱及びこの包装箱に包装された電池」と比較すると、これ等には取っ手が設けられているためこれを以て畑の通路や畦道を行き来しなくてはならず重労働であるのに対して、この発明の電源供給車は極めて省力的なものである。【００１４】  二次電池には鉛蓄電池、ニッケル・水素蓄電池、リチウムイオンバッテリなどを任意に用いることが出来る。二次電池に車輪などを取り付けるには、例えば二次電池を容器に収め、この容器に車輪などを取り付けるようにする。また例えば車輪などを取り付けた荷台に二次電池を載置して固定するようにすれば良い。【００１５】  また上記の課題は、発電装置と該発電装置を移動させるための車���とを有する電源供給車であって、該電源供給車が該電源供給車を止めて移動しないようにしておきたい場合に地面に入れ込むための杭を有している、電源供給車とすることによって解決される。この電源供給車は発電装置と車輪とを有しておりこのまま押して移動することが出来る。設置場所に着いたならば、杭を地面に刺し入れて電源供給車の移動を抑えるようにする。撤収の際には杭を地面から引き抜くようにする。電源供給車の何れかの部位に、例えば車輪の軸受けや発電装置に杭を備えていれば、この杭を地面に入れ込むことで、風を受けた時や傾斜のある場所に止めさせた時の電源供給車の移動を抑えることが出来る。【００１６】  この電源供給車は自前で電気を作り出す発電装置である。従って請求項１の発明のように充電のために移動させる必要はないが、設置する向きを変えたり設置場所を移したり、天候悪化で撤収したりする際には車としての構成が大いに役立つ。この発電装置は、太陽光発電装置または風力発電装置または発動発電装置または燃料電池であり、これ等が露地やハウス周りで用いるには好適である。【００１７】  太陽光発電装置にはソーラーパネルを用いることが一般的である。露地やハウスなどの太陽光があたる場所にソーラーパネルを設置して発電させる。ソーラーパネルは持ち手などに対して固定的に取り付けたものとすることが出来る。この場合には例えば後述するような脚を有するものでは、持ち手を以て持ち上げたソーラーパネルを太陽の方向に向けてから、持ち手を下ろして脚を地面に接地して安定させる。また固定的に取り付けるのではなくソーラーパネルを向ける方向を調節し得るように構成しても良い。ソーラーパネルの出力端を半導体発光素子を用いた照光器具などの負荷機器に制限用抵抗を介して直接的に接続することが出来る。しかしながら日の出前、日没後、曇天の日中などと言った、必要な時に電力を供給し得るようにするには、後述するように二次電池やこのチャージコントローラを組み込むようにすると良い。なお露地やハウスでの電照をどのような時に行うかに付いては特願２００９−１９２８９５を参照されたい。【００１８】  風力発電装置には手押し出来るようなサイズの小型のものが開発されている。極微風の時にはプロペラの回転をアシストしたり、強風の時には制動を掛けるようにしたり、またプロペラの表面のデザインで風切り音を抑えたり、と言うような高性能のものが開発されている。プロペラが自動的に風上に向くように設計されたものを用いれば、この電源供給車の方向を調節する必要はないが、調節しなくてはならない場合であっても持ち手で持ち上げて方向転換させるだけであるからその作業は容易である。風力発電装置のモータには一般的にヒューズが接続され、この出力端に半導体発光素子を用いた照光器具などの負荷機器が接続される。必要に応じて電流計や電磁ブレーキスイッチが含まれることもある。しかしながらこの発明の電源供給車には、強風などコンディションが悪化する際の撤収が容易に行えると言う特長がある。無風状態でも電力を供給し得るようにするには、後述するように二次電池やレギュレータなどを組み込むようにすると良い。【００１９】  発動発電装置にはガス発電機やガソリンエンジン��電機やディーゼルエンジン発電機などがある。可搬型で小型のものであれば手押し可能である。ガス発電機にはプロパンガスボンベやカセットボンベを使用するものがある。発動発電装置では太陽光発電装置が必要とした方角の調整も不要であり、始動や停止も容易である。一般的には遮断器や漏電遮断装置を含む。なお余剰電力を蓄えておくためには、後述のように二次電池やレギュレータなどを組み込むようにすると良い。【００２０】  燃料電池は電池とは言うものの発電装置の一種であり、一般的には酸素と水素を燃料にして化学反応させて直接的に電気を発生させる装置であり、騒音や振動が殆ど出ないのが特長である。現在では携帯電話機用の固体高分子形燃料電池（ＰＥＦＣなど）が開発されている。電気容量の制限がなく、燃料を補充し続ければ永続的に放電を行うことが可能であるが、仮にこの電力を蓄えておきたいとするのであれば、後述のように二次電池などを組み込むようにすると良い。【００２１】  上述したように、前記発電装置が発電した電気を蓄えるための二次電池を有しているものとすることが出来る。この二次電池は一般的には過充電装置を必要とする。なお負荷として交流機器を使用するのであれば、ＤＣ−ＡＣインバータを用いると良い。太陽光発電装置であれば、日の出前、日没後、曇天の日中などに半導体発光素子を用いた照光器具に電力を供給したい場合がある。風力発電装置であれば良好な風がある時に発電した電力を貯蔵しておきたい場合がある。発動発電装置や燃料電池ならば余剰電力を蓄えておきたい場合がある。こうした時に二次電池を有していると好都合である。【００２２】  さてこれまで説明した電源供給車はその設置場所を移す可能性がある。従って畑の通路や畦道と言った、あまりコンディションの良くない場所での移動が自由なものでなくてはならない。この移動作業中に通路を逸れて耕作地を踏み固めてしまうようではいけない。そして何よりも取り扱いがより楽に行えるものでなくてはならない。【００２３】  そこで前記電源供給車が、前記車輪としての前輪と、前記電源供給車を前記前輪と共に支える後脚と、走行時に前記前輪を支点として前記後脚を持ち上げ地面から浮かせて押して進むための持ち手と、を有するものとすることが出来る。この電源供給車は前輪と後脚とで前記二次電池や発電装置を支えることが出来る。移動の際には持ち手を持ち上げると前輪が支点になって後脚が持ち上がり、二次電池や発電装置も持ち上がるため、このまま押して移動することが出来る。この移動では、前輪と人の足だけが接地しており、持ち手を左右に振ることで容易に前輪の舵を切ることが出来るために、畑の通路や畦道を逸れて耕作地に踏み込むような心配が少ない。キャスター付きのスーツケースのように身体の後ろで引くものではこのような制御は難しい。前輪を目前に見ながら押して進むものの方がより好都合である。設置場所に着いたならば持ち手を下ろすと、後脚が接地して二次電池や発電装置を安定させる。なお撤収も同様に容易である。【００２４】  この前輪と後脚とから成る電源供給車に付いて、前記前輪が１輪であり、前記後脚が前記前輪と共に３点で前記電源車を支える２つの後脚であるものとすることが出来る。従来より１輪���前輪と、該前輪と共に荷台を支える２つの後脚と、走行時に前記前輪を支点として前記後脚を持ち上げて地面から浮かせて押して進むための持ち手と、を有するものに「ねこ車」がある。この観点からすると請求項５の発明はねこ車に二次電池や発電装置を取り付けたものであると見ることも可能である。従って従来のねこ車で培ってきた農作業の経験をこの発明の電源供給車の取り回しにも活かすことが出来るのである。【００２５】  持ち手を持ち上げると接地箇所が前輪の１輪だけとなり、畑の通路や畦道のようなコンディションが良くなかったり、細かったりする場所でも、小回りを利かして素早く軽快に移動することが出来、畑の通路や畦道を行き来するには大変に都合が良くなる。目の前に前輪を見て、この１輪だけで押して移動する方が、姿勢制御や方向制御がより楽なのである。しかも２つの後脚を接地させれば前輪との３点支持でバランスが安定する。すなわちじいちゃんばあちゃんでも移動が楽で、設置が楽で、撤収が楽である。【００２６】  なお前輪が１輪であると言う場合、Ｗタイヤのような２輪が隣り合う構成も１輪であるとする。後脚が２つと言う場合、左右の後脚が横方向のパイプなどで連結されて一体となっていても接地部分が２カ所となれば２つであるとする。【００２７】  なお杭は地面に刺し入れることで脚としての役割を新たに生ずる場合がある。上述のような３点支持のものであっても、杭が支持の４点目以降の追加の脚となるようにする構成が可能である。また車輪が１輪のみで脚がないものであっても、杭が電源供給車を止めて移動しないようにしておく際の脚となるようにする構成が可能である。【００２８】  さて請求項６の発明では、請求項１から請求項５の何れか一に記載の電源供給車の出力端に、栽培植物を電照するための半導体発光素子を用いた照光器具を接続して成る、照光器具を備えた電源供給車としている。上述の特願２００９−１９２８９５の発明は、露地栽培やハウス栽培に於ける日照不足を補うべく、半導体発光素子を用いた新たな照光器具を提案したものである。更にこの照光器具に電力を供給したいと言うのが本願発明の目的であり、上述の電源供給車を提案した。更に１輪の前輪を支点として持ち手を持ち上げて二次電池や発電装置を持ち上げ、目前に１輪の前輪を見てこの１輪だけで押して移動する電源供給車を提案した。これ等によって畑の通路や畦道のような狭い場所を、踏み外すことなく軽快に行き来するものとすることが出来た。この産業上に及ぼす利益には計り知れないものがある。またこのようであるから、栽培植物を電照するための半導体発光素子を用いた照光器具を接続し得るように、照光器具と組合わせて成るものを提供することには大きな意義があると考える。
【発明の効果】
【００２９】  この電源供給車によれば、電照栽培用の照光器具などに給電するための電源を有して、露地やハウスなどを容易に移動することが出来、電源を支えて照光器具などの近くに置くことが出来、地面に入れ込むための杭を用いて電源供給車を一所に止めて移動しないようにすることが出来る効果を奏する。またこの照光器具を備えた電源供給車に付いても上記同様の効果がある。
【図面の簡単な説明】
【００３０】
【図１】  実施例１の電源供給車の説明図である。
【図２】  同実施例のブロック図である。
【図３】  実施例２のネット状ＬＥＤライトの説明図である。
【図４】  同実施例の回路図である。
【図５】  実施例３の電源供給車の説明図である。
【図６】  同実施例のブロック図である。
【図７】  実施例４の電源供給車の説明図である。
【図８】  同実施例のブロック図である。
【図９】  実施例５の電源供給車の説明図である。
【図１０】  実施例６の電源供給車の説明図である。
【発明を実施するための形態】
【実施例１】
【００３１】  この実施例の電源供給車１は、電源ケース１０に前輪１４と後輪１７とを備えると共に後部に左右の持ち手１８，１９を備えている。電源ケース１０の内部には図１では図示されていない二次電池２が納められている。車軸１６に取り付けられた後輪１７は左右の２輪であるが、前輪１４に関しては２輪であるものの電源ケース１０の前部底面に設けられた軸受け１２の車軸１３に１個のＷタイヤ１５として２つの前輪１４が近接して取り付けられている。【００３２】  また電源ケース１０の底面には紐１０１の一端部が固定されており、紐１０１の他端部は杭１００に結びつけられている。紐１０１は杭１００を地面に最大限刺し入れた状態で僅かに弛む程度の長さとした。この杭１００を不使用時に納めておくための収容筒１０２が電源ケース１０の側面に取り付けられている。【００３３】  電源ケース１０には二次電池２とコントローラ２０とが納められている。コントローラ２０は電源のＯＮ／ＯＦＦ制御やこのタイマー動作制御を行ったり、電力の使用量表示や電気の残量警報を発したりするためのものである。図１では図示していないコントローラ２０の操作盤や充電端子や出力端子は電源ケース１０の前部の蓋１１の中にあり、出力端子にはＬＥＤライト４が接続される。なお二次電池２の充電には価格の安い夜間の商用電力を利用すると良い。あるいは別に設けたソーラーパネルなどの発電装置から充電するようにしても良い。【００３４】  使用者は持ち手１８，１９を持ち電源供給車１を押したり引いたりして、照光器具としてのＬＥＤライト４がある場所まで移動させる。そこで収容筒１０２から杭１００を取り出して地面に刺し入れるようにすると、電源供給車が風を受けたような場合でも紐１０１がぴんと張られた状態でそれ以上の電源供給車１の不本意な移動が抑えられる。杭１００を地面から引き出せば、電源供給車１の移動や撤収が出来るようになる。
【実施例２】
【００３５】  この実施例は上述した実施例１の電源供給車１に備える照光器具３に係るものである。照光器具３は、軟質ＰＶＣシートから網目３３となる部位を切除して農業用ネット３２を形成する。太陽光を植物に当てるために軟質ＰＶＣシートには透明のものを用いている。この網目３３と網目３３との間の幅は２５ミリメートルであり、この網目３３と網目３３との間に幅２０ミリメートルのテープ状ＬＥＤライト３０をＰＶＣ樹脂接着剤にて固定して、この実施例の照光器具３と為す。この際に軟質ＰＶＣシートの外側にテープ状ＬＥＤライト３０の透光層３１の側を合わせるようにして、すなわち軟質ＰＶＣシートの内側（植物に向かう側）からＬＥＤライト３０の透光層３１を透して見るようにして、両者を接着するのである。【００３６】  テープ状ＬＥＤライト３０は、遮光層の上に表面実装によって配線を含んだＬＥＤストリング４６を形成し、この表面を上述の透光層３１で覆って成るものである。ＬＥＤストリング４６は、図４で示したように、３個のＬＥＤ４０と１個の抵抗器４１とを直列接続したものを１ユニットとして、プラス側の配線４２とマイナス側の配線４３とに接続したものである。この駆動電源は直流の１２ボルトである。このようなＬＥＤストリング４６の複数ユニットが並列接続されてテープ状ＬＥＤライト３０が構成される。各々のＬＥＤ４０から発する光は透光層３１から照光される。なおテープ状ＬＥＤライト３０に関して遮光層が不要であれば代わりにここを透光層としても良い。符号４４，４５は配線４２，４３に係る出力端子であり、この出力端子４４，４５を以て実施例１の電源供給車１の出力端子に接続される。【００３７】  図３から見て取れるように、全体は殆どフラットであり引っ掛かりが少ないから、直接的に植物に被せる場合にも、植物の上に立設したパイプ等による枠体の上に被せる場合にも便利である。なお更に薄くするために、テープ状ＬＥＤライト３０の透光層３１の役目を農業用ネット３２そのものに持たせる構成としても良い。なお軟質ＰＶＣシートの内側面にテープ状ＬＥＤライト３０を接着した構成とすることも可能である。
【実施例３】
【００３８】  この実施例の電源供給車５は、ソーラーパネル５０が仰角３０度で固定設置された台部５１に、１輪の前輪５４と左右の後脚５５とを備えると共に、後部に左右の持ち手５６，５７を備えている。また前輪５４は台部５１の前部底面の枠体５２に設けられた車軸５３に取り付けられている。後脚５５はパイプを略Ｌ字状に曲げて成り、その角部で接地するようになっている。【００３９】  また一側の後脚５５の略垂直部分には収容筒５００が取り付けられている。この収容筒５００の側面に縦方向のガイド溝５０１が設けられており、収容筒５００の中には杭５８が出し入れ可能に納められている。この杭５８の側面には操作ピン５９がガイド溝５０１から外に出るように設けられている。なおガイド溝５０１の上部にはガイド溝５０１から横方向に切欠された掛止溝５０２が設けられている。杭５８の不使用時には操作ピン５９を上に引いて杭５８を引き上げ、操作ピン５９を掛止溝５０２方向に回動させて掛止しておくようにする。【００４０】  台部５１の内部には図５では図示されていない二次電池２２と充放電コントローラ２１とが納められている。この充放電コントローラ２１には、ソーラーパネル５０が二次電池２２を過充電させないように二次電池２２への充電電圧をコントロールする役割がある。またソーラーパネル５０が発電していない時に、二次電池２２からソーラーパネル５０へ電流が逆流しないようにする役割がある。ソーラーパネル５０の出力端からは充放電コントローラ２１に配線され、この出力端からは二次電池２２に配線されている。なお充放電コントローラ２１のＬＥＤライト４用の出力端子は、図５の台部５１上面の持ち手５６，５７に近い側に設けられている。なお二次電池２２を用いない構成も可能である。【００４１】  この電源供給車５は１輪の前輪５４と左右の後脚５５とによる３点で支持される。使用者は持ち手５６，５７を持ち上げると、前輪５４が支点になって後脚５５が持ち上がるので、このままねこ車のように押して、ＬＥＤライト４がある場所まで移動することが出来る。設置場所に着いたならば持ち手５６，５７を下ろすと、後脚５５が接地して電源供給車５が安定する。この際ソーラーパネル５０が南の方に向くように電源供給車５の向きを合わせる。そこで上述の操作ピン５９を掛止溝５０２から外す方向に回動させた後に操作ピン５９を下方へ押し下げるように操作する。これにより杭５８が収容筒５００の下端部から突出し、後脚５５が接地している地面に刺し入れられ、電源供給車５の不本意な移動が抑えられるようになる。操作ピン５９を引き上げて杭５８を地面から引き出せば、電源供給車５の移動や撤収が出来るようになる。
【実施例４】
【００４２】  この実施例の電源供給車６は、支柱６２の頂部に支柱６２を軸として回動自在に設けられた発電機６０に風車６１が取り付けられて成る発電装置が設置された台部６４に、１輪の前輪６７と左右の後脚６８とを備えると共に、後部に左右の持ち手６９，６００を備えている。発電機６０はフィンを備えており、風車６１を風上に向けて効率良く発電することが出来る。前輪６７は台部６４の前部底面の枠体６５に設けられた車軸６６に取り付けられている。【００４３】  後脚６８はパイプより成り、その先端部分が尖設されて杭部６０１が形成されている。後脚６８と杭部６０１との境となる部位には円形の接地板６０２が取り付けられており、この接地板６０２までしか杭部６０１を地面に刺し入れることが出来ないようになっている。なお移動中の安全のために杭部６０１に被せる例えば球状のキャップ６０３を備えるようにしても良い。【００４４】  台部６４の内部には、図７では図示されていない二次電池２４と接続箱／レギュレータ２３とが納められている。この接続箱／レギュレータ２３の内、接続箱は発電量を監視するための電流計、ヒューズ、発電機６０に電磁ブレーキをかけるためのブレーキスイッチを備えている。端子台としての接続箱のＬＥＤライト４用の出力端子６３は、図７の台部６４上面の前側に設けられている。レギュレータには二次電池２４が過充電にならないように余分な電力をヒーターの熱にして捨てると言う役割がある。なお二次電池２４を用いない設計も可能である。【００４５】  この電源供給車６は１輪の前輪６７と左右の後脚６８とによる３点で支持される。使用者は、持ち手６９，６００を持ち上げると前輪６７が支点になって後脚６８が持ち上がるので、このまま押してＬＥＤライト４がある場所まで移動することが出来る。設置場所に着いたならば持ち手６９，６００を下ろすと、後脚６８の先端部分の杭部６０１が接地して電源供給車６が安定する。そこで持ち手６９，６００を上方から力を掛けて押し下げるようにすると、杭部６０１が地面に刺し入れられて電源供給車６の不本意な移動が抑えられるようになる。なお持ち手６９，６００を引き上げるようにすると杭部６０１が地面から引き出され、これにより電源供給車６の移動や撤収が出来るようになる。
【実施例５】
【００４６】  この実施例の電源供給車７は、台部７３の上にガソリンエンジン発電機７０を備えると共に、台部７３の下の枠体７４に取り付けた車軸７５に１輪の前輪７６を備えており、また枠体７４の後部は左右の後脚７７を形成している。また台部７３の後部に持ち手７８を備えている。この持ち手７８は左右で１対のものであり、左側の持ち手７８には前輪７６を制動するためのブレーキレバー７９を備えている。【００４７】  また左側の後脚７７の略垂直部分には収容筒７０２が取り付けられている。この収容筒７０２の側面に縦方向のガイド溝７０３が設けられており、収容筒７０２の中に杭７００が出し入れ可能に納められている。杭７００の側面には操作ピン７０１がガイド溝７０３から外に出るように設けられている。なおガイド溝７０３の上部にはガイド溝７０３から横方向に切欠された掛止溝７０４が設けられている。そこで杭７００の不使用時には操作ピン７０１を上に引いて杭７００を引き上げ、操作ピン７０１を掛止溝７０４方向に回動させて掛止しておくようにする。【００４８】  台部７３上のガソリンエンジン発電機７０は防水仕様のものであり、頂部に設けた蓋部７１を外して燃料の無煙レギュラーガソリンを注入する。ガソリンエンジン発電機７０は図示しない正弦波インバータを内蔵しているため、ＬＥＤライトに対して波形歪みの少ない良質で安定した電気供給が可能である。また二次電池を備えており、余剰電力の充電が出来る。正弦波インバータのＬＥＤライト用の出力端子７２は、図９のガソリンエンジン発電機７０の側面に設けられている。なお燃料切れに備えてアラートを発生させたり運転を停止させたりする設定も可能である。【００４９】  この電源供給車７は１輪の前輪７６と左右の後脚７７とによる３点で支持される。使用者は持ち手７８を持ち上げると前輪７６が支点になって後脚７７が持ち上がるので、このまま押してＬＥＤライトがある場所まで移動することが出来る。この際にブレーキレバー７９を操って前輪７６の回転を制御することが出来る。設置場所に着いたら持ち手７８を下ろすと、左右の後脚７７が接地して電源供給車７が安定する。そこで上述した操作ピン７０１を掛止溝７０４から外す方向に回動させた後に操作ピン７０１を下方へ押し下げるように操作する。すると杭７００が収容筒７０２の下端部から突出して後脚７７が接地している地面に刺し入れられ、電源供給車７の不本意な移動が抑えられるようになる。なお操作ピン７０１を引き上げて杭７００を地面から引き出すことで、電源供給車７の移動や撤収が出来るようになる。
【実施例６】
【００５０】  この実施例の電源供給車８は、台部８３の上に燃料電池８０を備えると共に、台部８３の下の枠体８４に取り付けた車軸８５に１輪の前輪８６を備えており、また枠体８４の後部は左右の後脚８７を形成している。また台部８３の後部に持ち手８８を備えている。この持ち手８８は左右で１対であり、左側の持ち手８８には前輪８６を制動するためのブレーキレバー８９を備えている。【００５１】  また左側の後脚８７の略垂直部分には収容筒８０２が取り付けられている。この収容筒８０２の側面に縦方向のガイド溝８０３が設けられており、収容筒８０２の中に杭８００が出し入れ可能に納められている。杭８００の側面には操作ピン８０１がガイド溝８０３から外に出るように設けられている。なおガイド溝８０３の上部にはガイト溝８０３から横方向に切欠された掛止溝８０４が設けられている。そこで杭８００の不使用時には操作ピン８０１を上に引いて杭８００を引き上げ、操作ピン８０１を掛止溝８０４方向に回動させて掛止しておくようにする。【００５２】  台部８３上の燃料電池８０は防水仕様のものであり、燃料の一部となる酸素を取り入れるためのファンを備えた吸気口８０５やＬＥＤライト用の出力端子８２が、図１０の燃料電池８０の側面に設けられている。また燃料が入った水素吸蔵合金ボンベは燃料電池８０の前部に設けた蓋部８１を外して交換する。また二次電池を備えており余剰電力の充電が可能である。【００５３】  この電源供給車８は１輪の前輪８６と左右の後脚８７とによる３点で支持される。使用者は持ち手８８を持ち上げると前輪８６が支点になって後脚８７が持ち上がるので、このまま押してＬＥＤライトがある場所まで移動することが出来る。この際にブレーキレバー８９を操って前輪８６の回転を制御することが出来る。設置場所に着いたら持ち手８８を下ろすと、左右の後脚８７が接地して電源供給車８が安定する。そこで上述した操作ピン８０１を掛止溝８０４から外す方向に回動させた後に操作ピン８０１を下方へ押し下げるように操作する。すると杭８００が収容筒８０２の下端部から突出して後脚８７が接地している地面に刺し入れられ、電源供給車８の不本意な移動が抑えられるようになる。なお操作ピン８０１を引き上げて杭８００を地面から引き出すことで、電源供給車８の移動や撤収が出来るようになる。
【その他の実施例】
【００５４】  この発明の電源供給車は二次電池や発電装置などの電源部分と車輪や持ち手を含む台車部分とに分けて見ることが出来る。そして電源部分を台車部分に対して着脱自在に設けたものとすることが出来る。また例えば電源部分に水路に投入可能な小規模水力発電装置を用い、この小規模水力発電装置を台車部分に対して着脱自在に設けたものとすることが出来る。小規模水力発電装置を投入した場所の近くの地面に台車を杭で固定するのである。また台車部分をどのようなタイプに近いものとするかは自由である。一例としてクローラ式運搬車、リヤカー、ハンドカートを上げる。なお請求項４とは持ち上げる方向が異なるタイプのもの、すなわち後輪と前脚と持ち手とを有し、持ち手を手前に引いて前脚を持ち上げ地面から浮かせるようにして押し、後輪だけで進むタイプの台車部分を備えた電源供給車もこの発明に含まれる。
【産業上の利用可能性】
【００５５】  この発明は、自転車にアシスト自転車があるように、自己の電源でモータを駆動して電源供給車の人力移動をアシストするような設計が可能である。またこの発明は、特願２００９−１９２８９５の照光器具以外の照光器具にも用いることが出来る。さらに電照栽培以外の用途にも用いることが可能である。そしてこれ等もまたこの発明の権利範囲内のものである。
【符号の説明】
【００５６】１電源供給車  １０電源ケース  １１蓋  １２軸受け  １３車軸  １４前輪
１５Ｗタイヤ  １６車軸  １７後輪  １８持ち手  １９持ち手  １００杭
１０１紐  １０２収容筒  ２二次電池  ２０コントローラ  ２１充放電コントローラ
２２二次電池  ２３接続箱／レギュレータ  ２４二次電池  ３照光器具
３０テープ状ＬＥＤライト  ３１透光層  ３２農業用ネット  ３３網目
４ＬＥＤライト  ４０ＬＥＤ  ４１抵抗器  ４２配線  ４３配線  ４４出力端子
４５出力端子  ４６ＬＥＤストリング  ５電源供給車  ５０ソーラーパネル
５１台部  ５２枠体  ５３車軸  ５４前輪  ５５後脚  ５６持ち手  ５７持ち手
５８杭  ５９操作ピン  ５００収容筒  ５０１ガイド溝  ５０２掛止溝
６電源供給車  ６０発電機  ６１風車  ６２支柱  ６３出力端子  ６４台部
６５枠体  ６６車軸  ６７前輪  ６８後脚  ６９持ち手  ６００持ち手  ６０１杭部
６０２接地板  ６０３キャップ  ７電源供給車  ７０ガソリンエンジン発電機
７１蓋部  ７２出力端子  ７３台部  ７４枠体  ７５車軸  ７６前輪  ７７後脚
７８持ち手  ７９ブレーキレバー  ７００杭  ７０１操作ピン  ７０２収容筒
７０３ガイド溝  ７０４掛止溝  ８電源供給車  ８０燃料電池  ８１蓋部
８２出力端子  ８３台部  ８４枠体  ８５車軸  ８６前輪  ８７後脚  ８８持ち手
８９ブレーキレバー  ８００杭  ８０１操作ピン  ８０２収容筒  ８０３ガイド溝
８０４掛止溝  ８０５吸気口
【図１】
2012006567.tif 000003
【図２】
2012006567.tif 000004
【図３】
2012006567.tif 000005
【図４】
2012006567.tif 000006
【図５】
2012006567.tif 000007
【図６】
2012006567.tif 000008
【図７】
2012006567.tif 000009
【図８】
2012006567.tif 000010
【図９】
2012006567.tif 000011
【図１０】
2012006567.tif 000012